Podtech/llm-jp-corpus-v4-ja_patent huggingface dataset:
(57)【要約】【課題】鮮明な印刷をすることができるとともに、搬送時に印字がはがれるおそれのない医療機器用包装袋を提供する。【解決手段】包装袋１は、袋状に形成された合成樹脂製のフィルム２と、ヒートシール部３に熱溶着された滅菌紙４と、ヒートシール部３及びその近傍の表面に露出しない箇所に設けられた印刷部５とを備えている。この包装袋１の内部には医療機器６が収納されている。印刷部５は、ロール状態のフィルム２から熱転写プリンタ１１で印刷される。当該印刷部５は、熱転写プリンタ１１により印刷されるため、細かい印刷を行ってもインクジェットプリンタのようににじむことがなく、また、フィルム２の材質やコーティングの材質等に左右されずに鮮明に印刷することができる。【選択図】  図１
2011217975.tif 000002
【特許請求の範囲】
【請求項１】
包装用合成樹脂製フィルムの一部をヒートシールしてなる医療機器用包装袋において、
ヒートシール部又はその隣接位置に熱転写プリンタにて印刷された印刷層を備えていることを特徴とする医療機器用包装袋。
【請求項２】
前記合成樹脂製フィルムと滅菌紙とがヒートシールされる包装袋であって、前記滅菌紙に対面する合成樹脂製フィルムの表面に印刷層が形成されていることを特徴とする請求項１に記載の医療用包装袋。
【発明の詳細な説明】
【技術分野】
【０００１】
本発明は、三方活栓や輸液セット等の医療機器を包装する袋に関する。
【背景技術】
【０００２】
医療機器を包装する袋は、多くは透明の合成樹脂製のフィルムを用いて袋状にして、端部近傍をヒートシールすることにより形成されている。また、ヒートシール部の一部は、滅菌処理を行うために通気性を有する滅菌紙を挟み込んでヒートシールを行っている。
【０００３】
このような医療機器用包装袋は、予めフィルムに印刷しておくことができる既定印刷部と、製造年月日や使用期限等、包装時に印刷しなければならない特定印刷部とを有している。
【０００４】
従来は、この特定印刷部は、医療機器を包装した後、インクジェットプリンタ等を用いて包装袋表面に印刷していた。
【０００５】
しかしながら、医療機器は三方活栓等に代表されるように凹凸が多くあり、包装袋を搬送する際に、特定印刷部表面がこすれて印字がはがれたり見にくくなったりすることがあった。
【先行技術文献】
【特許文献】
【０００６】
【特許文献１】特開平１０−３２４３４７号
【発明の概要】
【発明が解決しようとする課題】
【０００７】
一方で、包装袋のヒートシール部にインクジェットプリンタを用いて印字を行うことが上記特許文献１で提案されている。
【０００８】
このように、ヒートシール部に印刷ができれば、印字部分がフィルムによって覆われるため、搬送時の印字のこすれ等を防ぐことができる。
【０００９】
しかしながら、インクジェットプリンタを用いてヒートシール部に印字を行う場合、プリンタでの印刷後にヒートシールを行うことになるが、インクが乾かないとヒートシール時に印字がこすれたりすることで不鮮明になるおそれがある。
【００１０】
従って、上記印刷方法では、プリンタでの印刷後にインクを乾かす必要があり、製造時に時間を要するという不都合がある。
【００１１】
また、特許文献１では、インク層のバインダをヒートシール層と同種の材料とすることで、インク層をヒートシールすることによる強度の低下を防止しているため、インクの選択の幅が限定される。
【００１２】
また、インクジェットプリンタで滅菌紙に印字をする場合は、滅菌紙の表面が通気性をよくするため粗くなっているため、鮮明な印刷ができないという不都合もある。
【００１３】
本発明は、医療機器の包装袋の改良を目的とし、さらに詳細には、鮮明な印刷をすることができるとともに、搬送時に印字がはがれるおそれのない包装袋を提供することを目的とする。また、幅広くインクの選択を行うことができる包装袋を提供することを目的とする。
【課題を解決するための手段】
【００１４】
前記目的を達成するために、本発明の医療機器用包装袋は、包装用合成樹脂製フィルムの一部をヒートシールしてなる医療機器用包装袋において、ヒートシール部又はその隣接位置に熱転写プリンタにて印刷された印刷層を備えていることを特徴とする。
【００１５】
当該構成によれば、前記印刷層は包装袋のフィルムに保護されるため、凹凸の多い医療機器を包装する袋であっても、搬送時に印刷層がはがれたりこすれて不鮮明になることがない。
【００１６】
また、前記印刷層は、熱転写プリンタにより印刷されているため、印刷後すぐにヒートシール処理を行っても印刷層がこすれて不鮮明になることがない。さらに、前記印刷層が熱転写プリンタにより印刷されているため、ヒートシール処理を行っても変色する等の不都合がない。
【００１７】
また、本発明の医療機器用包装袋は、前記合成樹脂製フィルムと滅菌紙とがヒートシールされる包装袋であって、前記滅菌紙に対面する合成樹脂製フィルムの表面に印刷層が形成されていることが好ましい。
【００１８】
当該構成によれば、滅菌紙に印刷をすることなく合成樹脂製フィルムの表面に印刷を行うため、鮮明な印刷が可能であり、細かい印刷も行うことができる。
【図面の簡単な説明】
【００１９】
【図１】本発明の実施形態の一例を示す医療機器用包装袋の説明図。
【図２】図１の包装袋を製造する工程を示す説明図。
【図３】（ａ）及び（ｂ）はヒートシール部及び印刷部を示す説明図。
【発明を実施するための形態】
【００２０】
次に、添付の図面を参照しながら本発明の実施の形態についてさらに詳しく説明する。図１に示すように、本実施形態の包装袋１は、袋状に形成された合成樹脂製のフィルム２と、ヒートシール部３に熱溶着された滅菌紙４と、ヒートシール部３及びその近傍の表面に露出しない箇所に設けられた印刷部５とを備えている。この包装袋１の内部には医療機器６（本実施形態では輸液セット）が収納されている。
【００２１】
図２を参照して、包装袋１は、フィルム２を袋状に形成し、供給機１３から供給された医療機器６を包装してヒートシールを行う包装機１２により形成される。
【００２２】
また、図２に示すように、印刷部５は、ロール状態のフィルム２から熱転写プリンタ１１で印刷される。当該印刷部５は、熱転写プリンタ１１により印刷されるため、細かい印刷を行ってもインクジェットプリンタのようににじむことがなく、また、フィルム２の材質やコーティングの材質等に左右されずに鮮明に印刷することができる。
【００２３】
従って、図１に示すように、バーコードを印刷してもよく、内部に収納されている機器がイラストにより描かれているアイコンを印刷してもよい。また、細かい字で注意書き等を記載しても読みやすい印刷を行うことができる。
【００２４】
包装袋１は、図１に示すように、印刷部５をヒートシール部３のヒートシール面に印刷してもよく、ヒートシール部３に囲まれる箇所に印刷してもよい。
【００２５】
また、図３に示すように、ヒートシール部３の近傍であって、フィルム同士が重なりあっている部分の内面に印刷を行ってもよい。
【符号の説明】
【００２６】
１…包装袋、２…フィルム、３…ヒートシール部、４…滅菌紙、５…印刷部、１１…熱転写プリンタ、１２…包装機、１３…供給機。
【図１】
2011217975.tif 000003
【図２】
2011217975.tif 000004
【図３】
2011217975.tif 000005
(57)【要約】【課題】  透析用配管内の汚染を防止する方法を提供する。【解決手段】  透析用配管２は、透析用水供給装置１と接続端２１で接続されると共に、透析装置３と接続端２３で接続されている。本発明では、透析用配管２内の汚染を防止するために、透析用配管２に、透析用水供給装置1との接続端２１に近接してＵＦ膜４を設けると共に、透析装置３との接続端２３に近接してＵＦ膜５を設けている。【選択図】      図１
2011217965.tif 000002
【特許請求の範囲】
【請求項１】
透析用配管の透析用水供給装置（ＲＯ装置を含む）との接続端側に細菌やエンドトキシンを除去するためのフィルタを設けると共に、透析用配管の透析装置との接続端側に細菌やエンドトキシンを除去するためのフィルタを設けることを特徴とする、透析用配管内の汚染防止方法。
【請求項２】
フィルタを、透析用水供給装置との接続端および透析装置との接続端に近接して設ける、透析用配管内の汚染防止方法。
【発明の詳細な説明】
【技術分野】
【０００１】
本発明は透析装置の移動などにより発生する透析用配管内の汚染を防止する方法に関する。
【背景技術】
【０００２】
近年、透析治療において、従来取り除いていた尿毒素成分よりも更に分子量の大きい成分を取り除く必要があることが分かり、例えばＨＰＭ（ハイパフォーマンスメンブレン）というポアサイズの大きい透析膜を用いたダイアライザが使用されるようになった。そのため、従来は透析膜で阻止されていた透析液中の不純物が血液側に混入する危険性が高くなっており、透析用水や透析液を清潔に保ち供給することの重要性が増大している。
【０００３】
透析用水および透析液は、セントラルシステムにより精製および調製され、各末端透析装置までの供給は透析用配管を通して行われる。従って、透析用配管が汚染されてしまうと、汚染部位より下流にある透析装置は全て汚染されてしまうことになる。従来、供給装置またはＲＯ装置（以下、単に供給装置という）から透析装置に供給される透析用水は、ＵＦ膜（エンドトキシン捕捉フィルター）を透過させてエンドトキシンや細菌を除去するよう試みられているが（特許文献１）、透析装置の移動やメンテナンス時など、透析用配管内が解放される機会も多く、そのため透析装置との接続端側が汚染されて透析用配管内全体に汚染が広がる虞があり、問題であった。
【０００４】
また、透析装置内におけるエンドトキシンや細菌を除去するために、従来、透析液供給装置とダイアライザの間に、ダイアライザに近接してＵＦ膜を介在させる方法も採用されているが（特許文献２）、ＵＦ膜の劣化によりこれを３ヶ月に１回程度交換しなければならず、面倒であった。
【先行技術文献】
【特許文献】
【０００５】
【特許文献１】特開２００３−２６０１３１号公報、第２欄４５〜４７頁
【特許文献２】特開平３−２５４７５５号公報
【発明の開示】
【発明が解決しようとする課題】
【０００６】
本発明は、上記の事情に鑑みてなされたもので、透析配用管内の汚染を防止する方法を提供する。
【課題を解決するための手段】
【０００７】
本発明の透析用配管内の汚染防止方法は、透析用配管の透析用水供給装置との接続端側に細菌やエンドトキシンを除去するためのフィルタを設けると共に、透析用配管の透析装置との接続端側に細菌やエンドトキシンを除去するためのフィルタを設けることを特徴とする。
ここで、フィルタは、透析用水供給装置との接続端および透析装置との接続端に近接して設けるのが好ましい。
また、細菌やエンドトキシンを除去するためのフィルタとは、例えば、ＵＦ膜等からなるエンドトキシン捕捉フィルタ（ＥＴＲＦ）や除菌フィルタを言い、透析用水供給装置とは、透析液調製装置に透析用水を供給するための装置を言う。透析用水供給装置にはＲＯ装置も含まれる。
【０００８】
以上、一般的に本発明を記述したが、より一層の理解は、いくつかの特定の実施例を参照することによって得ることが出来る。これらの実施例は本明細書に例示の目的のためにのみ提供されるものであり、他の旨が特定されない限り、限定的なものではない。
【発明の効果】
【０００９】
本発明によれば、以下のような効果が期待できる。すなわち、１）透析用配管の透析用水供給装置との接続端側に細菌やエンドトキシンを除去するためのフィルタを設けると共に、透析用配管の透析装置との接続端側に細菌やエンドトキシンを除去するためのフィルタを設けているので、透析用水の汚染をほぼ完全に防止することが出来る。２）透析液供給装置とダイアライザの間に、ダイアライザに近接して設けたＵＦ膜の劣化が抑制され、膜の寿命が向上し５倍以上の期間性能が維持されるようになったので、ＵＦ膜を交換する手間が大幅に軽減された。
【図面の簡単な説明】
【００１０】
【図１】本発明の透析用配管内の汚染防止方法の説明図である。
【発明を実施するための最良の形態】
【００１１】
透析用配管の透析用水供給装置との接続端側に接続端に近接してＵＦ膜を設けると共に、透析用配管の透析装置との接続端側に接続端に近接してＵＦ膜を設ける。
【実施例】
【００１２】
透析用配管内の汚染防止方法について、図１を用いて説明する。
図１は本発明の透析用配管内の汚染防止方法の説明図であり、シングルパス方式の透析用水配管を示す。
透析用配管２は、透析用水供給装置１と接続端２１で接続されると共に、透析装置３と接続端２３で接続されている。本発明では、透析用配管２内の汚染を防止するために、透析用配管２に、透析用水供給装置1との接続端２１に近接してＵＦ膜４を設けると共に、透析装置３との接続端２３に近接してＵＦ膜５を設けている。その結果、透析用配管２内の汚染を防止することができるだけでなく、透析装置３内に設けたＵＦ膜の寿命を大幅に向上させることができ、ＵＦ膜を交換する手間が大幅に軽減された。
【符号の説明】
【００１３】
１  透析用水供給装置
２  透析用配管
２１  透析用水供給装置との接続端
２３  透析装置との接続端
３  透析装置
４  ＵＦ膜
５  ＵＦ膜
【図１】
2011217965.tif 000003
(57)【要約】【課題】本発明の目的は、自転車を折り畳んで運ぶ輪行バッグの機能と、自転車を取り出した後、体積を小さくして自転車に取り付ける物入れバッグの機能を併せ持つ輪行バッグを得ることにある。【解決手段】内蔵、もしくは外付けの車輪付きのキャリヤーと、旅行用スーツケース状の直方体収納部分から構成され、前述の直方体の前後面と帯状側面との境界部には分離、接合の出来るファスナー機構を備え、前述の直方体の輪切り状態を想定し、２つの領域に区分された一方領域の前後面と帯状側面を前述のファスナー機構により分離し、他方領域の内側に折り畳める構造を有し、自転車を運搬する時は折り畳んだ自転車を直方体部分に収納し、自転車走行状態の時は前述の直方体の２分された一方を他方の内側に折り畳み、自転車に取り付けて物入れバッグとして利用できる構造を特徴とする折り畳み自転車用輪行バッグである。【選択図】        図１
2011217929.tif 000002
【特許請求の範囲】
【請求項１】
内蔵、もしくは外付けの車輪付きキャリヤーと、
旅行用スーツケース状の直方体の収納部分、すなわち前面、後面および口の字の形をした帯状側面から構成され、
前述の前後面と帯状側面の境界部には分離、接合の出来るファスナー機構を備え、
前述の直方体の輪切り状態を想定し、２つの領域に区分された一方領域の前後面と帯状側面を前述のファスナー機構により分離し、他方領域の内側に折り畳める構造
を特徴とする折り畳み自転車用輪行バッグ。
【発明の詳細な説明】
【技術分野】
【０００１】
本発明は折り畳み自転車用輪行バッグに関するものである。
【背景技術】
【０００２】
輪行には長距離走行の安定性、快適性などから、２０インチ前後の比較的車輪径の大きい折り畳み自転車が望ましいが、これらの自転車を折り畳んで輪行袋に入れ、抱えて運ぶには、折り畳み形状が大きい、重い、不細工なことが難点であり、輪行が一部の男性マニア中心の世界に留まっている大きな要因の一つになっている。
（注）  輪行：鉄道などの公共交通機関を利用した自転車持参の自転車旅行。日本では鉄道各社の営業規則などにより、折り畳んで専用の袋などに入れて持ち込まなければならない。
【０００３】
最近の技術の進歩により、例えば２０インチ型クラスの折り畳み自転車においても、折り畳んだ時の大きさが横幅５１ｃｍおよび縦幅６２ｃｍ前後と、旅行用スーツケース程度にまで小さくなってきている（例えば、特許出願文献  特願２００９−２７９１０２  発明の名称「折り畳み自転車」参照）。
【０００４】
ここまで小さくなると、後はこれらの自転車を折り畳んで運ぶ際に、力を要さず楽に運べ、且つ自転車を取り出した後、走行の邪魔にならない、むしろ利する機能を持つ輪行バッグが新たに開発されれば、輪行の世界が年配者、女性にまでその裾野を広げる大きなきっかけとなり得る。  しかし、今までは折り畳み自転車の折り畳みサイズが余りにも大きかったこともあり、前述のような機能を有する輪行バッグは存在しなかった。（例えば、非特許文献１参照）
【先行技術文献】
【非特許文献】
【０００５】
【非特許文献１】雑誌    「折り畳み自転車＆スモールバイクを楽しむ」  Ｐ１２２〜１２５、Ｐ９３   ２００９年５月発行  辰巳出版株式会社
【発明の概要】
【発明が解決しようとする課題】
【０００６】
本発明は、以上のような従来の難点に鑑み、折り畳み自転車を運ぶ手段として、
・  折り畳み自転車を折り畳んだ時には、スマートに、且つ力を要さず楽に運べ、
・  折り畳んだ自転車を取り出した後も、走行の邪魔にならない、むしろ利する輪行バッグを提供することを目的としている。
【課題を解決するための手段】
【０００７】
内蔵、もしくは外付けの車輪付きのキャリヤーと、
旅行用スーツケース状の直方体収納部分、すなわち前面、後面および口の字の形をした帯状側面から構成され、
前述の前後面と帯状側面の境界部には分離、接合の出来るファスナー機構を備え、
前述の直方体の輪切り状態を想定し、二つの領域に区分された一方領域の前後面と帯状側面を前述のファスナー機構により分離し、他方領域の内側に折り畳める構造
を特徴とする折り畳み自転車用輪行バッグ。
【発明の効果】
【０００８】
自転車を運搬する時は、折り畳んだ自転車を直方体の内部空間に収納し、旅行用スーツケースのようにスマートに、且つキャリヤーの車輪を利用して楽に運ぶことが出来、
自転車走行状態の時は、前述のように直方体の２分された一方を他方の内側に折り畳んで体積を小さくし、自転車のハンドル前方、あるいはサドル後方に取り付けると、物入れバッグとして利用可能となる。
【図面の簡単な説明】
【０００９】
【図１】輪行バッグ直方体収納部分に関する実施例の概念図
【図２】車輪付きキャリヤーを取り付けた状態の実施例概念図
【発明を実施するための形態】
【実施例】
【００１０】
図１は本発明に基づく折り畳み自転車用輪行バッグの直方体収納部分に関する実施例の概念図である。
直方体収納部分を体積略半分の位置で平面ABCDにより２分し、実線で示している一方は折り曲げにくい硬い素材で、一点鎖線で示している他方は折り曲げやすい柔らかい素材で構成し、前述の柔らかい素材部分の前面１と帯状側面３、および後面２と帯状側面３との境界部は分離、接合の出来るファスナー機構を備え、
自転車を取り出した後、前述の柔らかい部分の前面および後面を帯状側面からファスナー機構により分離し、硬い部分の内側に折り畳み、さらに図１に示すように帯状側面を一か所カットして、一部は平面ABCD部分を覆うカバーとなり、残りを前後面同様、硬い部分の内側に折り畳み、物入れバッグを構成する。
【００１１】
図２は図１の輪行バッグを外付けの車輪付きキャリヤーに取り付けた状態の概念図である。
（ａ）は折り畳んだ自転車を収納した状態、
（ｂ）は自転車を取り出した後、柔らかい素材部分を硬い素材部分の内側に折り畳んでバッグの体積を小さくし、向きを変えてキャリヤーに取り付けた状態、
（ｃ）は（ｂ）を折り畳み自転車のハンドル前方にフロントバッグとして取り付けた状態
を示している。
【産業上の利用可能性】
【００１２】
本発明は折り畳み自転車用輪行バッグを製造する産業で利用される。
【符号の説明】
【００１３】
1   輪行バッグ前面
2   輪行バッグ後面
3   輪行バッグ帯状側面
【図１】
2011217929.tif 000003
【図２】
2011217929.tif 000004
(57)【要約】【課題】電磁誘導加熱調理器に使用することができ、容易に加工することができる土鍋を提供する。【解決手段】土鍋は陶土と金属材料を混合し、焼成したものである。金属材料は電磁誘導で発熱する種類のものである。好ましい実施例では、土鍋は底壁１と周壁２からなる。そして、混合された陶土と金属材料で底壁が形成される。金属材料は金属繊維７からなる。【選択図】図１
2011217877.tif 000002
【特許請求の範囲】
【請求項１】
陶土と金属材料を混合し、焼成したものからなり、前記金属材料は電磁誘導で発熱する種類のものであることを特徴とする電磁誘導加熱調理器に使用する土鍋。
【請求項２】
底壁と周壁からなり、混合した陶土と金属材料で前記底壁を形成した請求項１に記載の土鍋。
【請求項３】
前記金属材料は金属繊維からなる請求項２に記載の土鍋。
【請求項４】
前記金属繊維は多角形状の断面をもつ請求項３に記載の土鍋。
【請求項５】
前記底壁において、金属繊維は３０〜４０％の混合体積比率をもつ請求項３または４に記載の土鍋。
【発明の詳細な説明】
【技術分野】
【０００１】
この発明は、電磁誘導加熱調理器に使用する土鍋に関するものである。
【背景技術】
【０００２】
特許文献１に記載されているように、電磁誘導加熱調理器に使用する土鍋がすでに提案されている。その土鍋では、まず、陶土で土鍋が焼成される。その後、土鍋に金属層が溶射され、形成される。したがって、金属層が電磁誘導で発熱するとのことであるが、土鍋に金属層を溶射することは容易ではない。
【０００３】
一方、特許文献２，３に記載されているように、金属繊維によってフィルタを形成することもすでに提案されている。
【０００４】
この発明は、金属繊維などの金属材料に着眼してなされたもので、電磁誘導加熱調理器に使用することができ、容易に加工することができる土鍋を提供することを目的とする。
【先行技術文献】
【特許文献】
【０００５】
【特許文献１】特開２００５−２９６１６１号公報
【特許文献２】特開平５−２５３４１８号公報
【特許文献３】特開平８−１３２３２号公報
【発明の概要】
【０００６】
この発明によれば、電磁誘導加熱調理器に使用する土鍋として特別の構成の土鍋が提供される。その土鍋は陶土と金属材料を混合し、焼成したものである。金属材料は電磁誘導で発熱する種類のものである。
【０００７】
好ましい実施例では、土鍋は底壁と周壁からなる。そして、混合された陶土と金属材料で底壁が形成される。
【０００８】
金属材料は金属繊維からなる。
【０００９】
金属繊維は多角形状の断面をもつ。
【００１０】
土鍋の底壁において、金属繊維は３０〜４０％の混合体積比率をもつ。
【図面の簡単な説明】
【００１１】
【図１】Ａはこの発明の実施例を示す断面図、ＢはＡの底壁の拡大図である。
【図２】図１の土鍋の製造工程を示す説明図である。
【図３】他の製造工程を示す説明図である。
【発明を実施するための形態】
【００１２】
以下、この発明の実施例を説明する。
【００１３】
図１はこの発明にかかる土鍋を示す。この土鍋は電磁誘導加熱調理器（ＩＨクッキングヒータ）に使用するためのもので、陶土（粘土）と金属材料を混合し、焼成したものである。金属材料は電磁誘導で発熱する種類のものである。
【００１４】
この実施例では、土鍋は底壁１と周壁２からなる。そして、混合された陶土と金属材料で底壁１が形成される。
【００１５】
たとえば、図２に示すように、自動混合器３によって陶土と金属材料が攪拌され、混合され、混合後、陶土と金属材料が自動混合器３から取り出され、金型４、手または器具で陶土と金属材料が成型され、底壁１が形成される。さらに、金型、手または器具で陶土が成型され、周壁２が形成される。その後、水または固着剤で底壁１と周壁２が固着され、固着後、底壁１と周壁２が電気釜５に収容され、同時に焼成される。
【００１６】
図３に示すように、自動混合器３によって陶土と金属材料を攪拌し、混合し、混合後、陶土と金属材料を自動混合器３から取り出し、金型６において、陶土と金属材料によって土鍋を成型してもよい。さらに、土鍋を成型するとき、金型６において、金属材料を底壁１に散布し、その金属材料に陶土を流し込み、底壁１で金属材料の混合量を増大させる。その後、土鍋を電気釜５に収容し、電気釜５によって土鍋を焼成してもよい。
【００１７】
金属材料は金属繊維（金属ファイバ）７からなる。金属繊維７は短繊維であり、ステンレス鋼からなる。さらに、金属繊維７は多角形状の断面をもつ。
【００１８】
たとえば、金属材料としてＳＵＳ４３０Ｆのステンレス鋼が使用され、特許文献２，３のものと同様、切削法または裁断法によってステンレス鋼が加工され、金属繊維７が得られる。金属繊維７は５０μ〜２．５ｍｍの繊維径のものであり、５〜５００のアスペクト比（繊維長さ／繊維径）をもち、その断面は三角形状であり、正三角形状、二等辺三角形状または不等辺三角形状である。そして、混合された陶土と金属繊維７で底壁１が形成されるものである。
【００１９】
土鍋の底壁１において、金属繊維７は３０〜４０％の混合体積比率をもつ。
【００２０】
したがって、この土鍋を電磁誘導加熱調理器に使用すると、底壁１の金属繊維７が電磁誘導で発熱する。したがって、土鍋によって食品を調理することができる。
【００２１】
この土鍋の場合、陶土と金属繊維７を混合し、底壁１を形成すればよく、特許文献１のもののように、土鍋に金属層を溶射する必要はない。その加工は容易である。
【００２２】
しかも、金属繊維７によって土鍋が補強され、破損しにくい。さらに、金属繊維７は多角形状の断面をもつ。この場合、土鍋を大幅に補強することができる。特に、金属繊維７に三角形状の断面をもたせると、土鍋を大幅に補強することができ、土鍋は大きい強度をもつ。
【００２３】
さらに、陶土と比較すると、金属繊維７の比重は大きく、コストは高いが、底壁１で金属繊維７の混合体積比率を高めればよく、周壁２で金属繊維７の混合体積比率を高める必要はない。したがって、土鍋の重量を最小限にとどめ、コストを最低限にとどめることができる。
【符号の説明】
【００２４】
１  底壁
２  周壁
７  金属繊維
【図１】
2011217877.tif 000003
【図２】
2011217877.tif 000004
【図３】
2011217877.tif 000005
(57)【要約】      （修正有）【課題】水中を潜る深さによってルアーを変えなくても、潜る深さを自由に変えられたり、動きを変えられるルアーをつくる。【解決手段】リップ部１とルアーの本体２を分離して、つなぎ目に凹３と凸４をつけて、リップ部１とルアーの本体２とを取り外し可能にすることで、リップ部の取り変えが可能となり、水中を潜る深さやルアーの動きを変えられるようにした。【選択図】図１
2011217723.tif 000002
【特許請求の範囲】
【請求項１】
リップ部を取り変え可能にして、水中を潜る深さや、ルアーの動きを変えられるようにしたルアー。
【発明の詳細な説明】
【発明の詳細な説明】
【技術分野】
【０００１】  本発明はルアーのリップ部を取り変え可能にして、水中を潜る深さを自由に変えたり、ルアーの動きを変えられるようにしたものである。
【背景技術】
【０００２】  従来、ルアーの水中を潜る深さを変えたり、動きを変えるにはルアーを投げてから巻きはじめるまでの時間を変えて、ルアーを沈めて水中を泳ぐ深さを変えたり、他のルアーに取り変えるしか方法は無かった。
【発明を実施するための形態】
【０００３】  本発明はリップ部を取り外し可能にして、水中を潜る深さを変えたり、動きを自由に変えたり出来るようにしたルアーで、それを図面について説明すれば、リップ部１とルアーの本体２に凹３と凸４をつけ、取り外し可能にしたものである。
【発明の効果】
【０００４】  このようにすれば、リップ部を取り変える事により、ルアーの水中を潜る深さを変えたり、ルアーの動きを変えたり出来るので、水中の上の方も下の方もルアーを取り変える事なく、魚のいるポイントをねらうことができ、ルアーを取り変える手間がはぶけて、大変便利である。
【図面の簡単な説明】
【図１】  本発明の分解斜視図である。
【符号の説明】１  リップ部
２  ルアーの本体
３  凹
４  凸
【図１】
2011217723.tif 000003
(57)【要約】【課題】  従来の乾燥椎茸は、うま味成分のグアニル酸を最大限に利用するためには数時間以上の時間をかけて５℃以下の冷水で水戻しをしなければならず、また、短時間で利用しようとして７０℃を超える熱水で戻すとグアニル酸の構成要素が壊れてしまうためうま味成分はほとんど利用できなかった。【解決手段】  乾燥椎茸にあらかじめ冷水を吸収させたことを特徴とする乾燥椎茸加工製品を提供する。  または、乾燥椎茸を冷却状態に保ちながらあらかじめ水を吸収させたことを特徴とする乾燥椎茸加工製品を提供する。【選択図】図１
2011217721.tif 000002
【特許請求の範囲】
【請求項１】
乾燥椎茸にあらかじめ冷水を吸収させたことを特徴とする乾燥椎茸加工製品。
【請求項２】
乾燥椎茸を冷却状態に保ちながらあらかじめ水を吸収させたことを特徴とする乾燥椎茸加工製品。
【発明の詳細な説明】
【技術分野】
【０００１】  本発明は、乾燥椎茸加工製品に関するものである。
【背景技術】
【０００２】  従来、うま味成分のひとつであるグアニル酸を料理に提供する風味食品として、生椎茸を乾燥加工した乾燥椎茸が提供されている。
【発明の開示】
【発明が解決しようとする課題】
【０００３】  しかしながら、従来の乾燥椎茸はうま味成分のグアニル酸を最大限に利用するためには、吸水させて生椎茸の状態に戻す時に５℃以下の冷水を用いる必要があり、そのためには数時間以上を必要としていた。一方で７０℃を超える熱水で戻すと極めて短い時間で生椎茸の状態に戻すことができるが、この方法ではグアニル酸の構成要素が壊れてしまうためうま味成分はほとんど利用できなかった。【０００４】  これは、乾燥椎茸に水を吸収させて生椎茸の状態に戻す過程において、戻し水の温度が低いほど戻し時間を多く必要とする一方でうま味成分は多く生成されるという乾燥椎茸が持つ特徴に由来する。（図１参照）【０００５】  したがって、本発明の目的は必要な時に即座に簡便に料理に使えて、しかもうま味成分であるグアニル酸を十分利用できる乾燥椎茸加工製品を提供することにある。
【課題を解決するための手段】
【０００６】  本発明は従来の問題を解決するため、乾燥椎茸にあらかじめ冷水を吸収させたことを特徴とする乾燥椎茸加工製品を提供する。【０００７】  または、乾燥椎茸を冷却状態に保ちながら水を吸収させたことを特徴とする乾燥椎茸加工製品を提供する。
【発明の効果】
【０００８】  本発明の乾燥椎茸加工製品においては、乾燥椎茸を低温吸水させたものであるから、うま味成分の構成要素を壊すことなく水戻しが完了しており、利用者は調理に使用する際に水で戻す手間が不要になり、しかも時間をかけずに乾燥椎茸が持つうま味成分を十分に利用することができるという優れた利便性を発揮する。
【発明を実施するための最良の形態】
【０００９】  以下に、本発明の実施例を説明するが、本発明はこれらの例によって限定されるものではない。【００１０】  乾燥椎茸に若干の水を含ませたあと流水等で洗浄してほこり等の異物を取り除き、氷を投入した冷水に浸して温度を５℃以下に保った冷蔵庫内で吸水させる。水の温度が１０℃以上になると乾燥椎茸のうま味成分の構成要素の多くが破壊されるため冷蔵庫内温度は５℃以下が望ましいが、理想温度は０℃である。【００１１】  乾燥椎茸を上記５℃以下の環境で水戻しした場合、７０℃以上の水を利用して水戻しした場合の約３２０倍のうま味成分が利用できる。また、１０℃〜４０℃の常温水で水戻しした場合にくらべても約８倍のうま味成分が利用できる。【００１２】  戻し水の温度が低くなるほど乾燥椎茸は吸水しにくくなるため、０℃の水を利用した場合の吸水時間は２４時間ほどが最適である。【００１３】  十分に吸水した乾燥椎茸を、吸水に利用した水の残りと共に加熱して表面に浮きでるアクを取り除き、金網を利用して水と椎茸を分離させる。分離した水は濾過器をもちいて細かい固形物を取り除き、含水した乾燥椎茸と共に流通販売に適した包装材料に充填して密封後、温浴殺菌をする。【００１４】  椎茸と共に同封した戻し水にはうま味成分が豊富に含まれているため美味しいダシ汁として料理に利用できる。【００１５】  前述ダシ汁として利用できる戻し水と、固形物である戻し椎茸のそれぞれを分離包装して提供することも可能である。
【図面の簡単な説明】
【００１６】
【図１】乾燥椎茸を水戻しする際の戻し水の温度の違いによって生成されるグアニル酸量の違いを概算値で示したグラフ図である。
【図１】
2011217721.tif 000003
(57)【要約】【課題】ふりかけを食べる時、かたよらずアレンジがきくようにシート状にしたふりかけシートを提供する。【解決手段】ふりかけの粉（１）をでんぷんのシート（２）の上にかけて乾燥させたふりかけシートを特徴とする。【選択図】図１
2011217725.tif 000002
【特許請求の範囲】
【請求項１】
ふりかけの粉（１）をでんぷんのシート（２）の上にかけて乾燥させて作られたふりかけシート。
【請求項２】
ふりかけの粉（１）をシート状にしたふりかけシート。
【発明の詳細な説明】
【技術分野】
【０００１】  この発明は、ふりかけをシート状にしたふりかけシートに関するものである。
【背景技術】
【０００２】  従来、ふりかけは粉状になっていた。
【発明の開示】
【発明が解決しようとする課題】
【０００３】  これは、次のような欠点があった。
（イ）ふりかけた際にかたよってしまう。
（ロ）周りにこぼれてしまう。
（ハ）ふりかけることしか出来ない。
本発明は、以上のような欠点をなくすためになされたものである。
【課題を解決するための手段】
【０００４】  ふりかけの粉（１）をでんぷんのシート（２）の上にかけて乾燥させる。
本発明は、以上の構成よりなるふりかけシートである。
【発明の効果】
【０００５】  ふりかけがシート状になっているので、ご飯に乗せるだけで楽にこぼさず食べられる。
シートなので好きな形にはさみで切る事が出来るので、好きなようにアレンジがきく。
【発明を実施するための最良の形態】
【０００６】  以下、本発明を実施するための最良の形態について説明する。
ふりかけの粉（１）を、上を水で溶かしたでんぷんのシート（２）にまぶしてから乾燥させシート状にする。
本発明は、以上のような構造でこれを使用するときはふりかけシートをご飯にのせたり、おにぎりを包んだり、好きな形に切ってご飯にはったりして食べたらいい。
【図面の簡単な説明】
【０００７】
【図１】本発明の分解斜視図である。
【図２】本発明の斜視図である。
【符号の説明】
【０００８】１  ふりかけの粉
２  でんぷんのシート
【図１】
2011217725.tif 000003
【図２】
2011217725.tif 000004
(57)【要約】      （修正有）【課題】柔らな粘りのあるクリーム状の食感が楽しめ、かつ、まろやかで柔らかい甘みを持つデザート的な感覚を楽しむことができる豆腐の製造法を提供する。【解決手段】生の落花生を水に一定期間浸し、水分を十分に含ませた状態でミキサーにかけて摩砕し、ペース状にし、その後搾汁して搾汁液を得、この搾汁液にゲル化剤として澱粉と、適量の水を加えて十分に攪拌し、加熱容器に入れて、一定時間加熱し、その後冷却容器に入れて冷却して固めて製造することを特徴とするジーマーミ豆腐の製造方法である。【選択図】なし【特許請求の範囲】
【請求項１】
生の落花生を水に一定期間浸し、水分を十分に含ませた状態でミキサーにかけて摩砕し、ペース状にし、その後搾汁して搾汁液を得、この搾汁液にゲル化剤として澱粉と、適量の水を加えて十分に攪拌し、加熱容器に入れて、一定時間加熱し、その後冷却容器に入れて冷却して固めて製造することを特徴とするジーマーミ豆腐の製造方法。
【請求項２】
前記のゲル化剤としてタピオカ粉を用いることを特徴とする請求項１に記載のジーマーミ豆腐の製造方法。
【請求項３】
前記の落花生の搾汁液に黒糖を加えることを特徴とする請求項１又は請求項２に記載のジーマーミ豆腐の製造方法。
【発明の詳細な説明】
【技術分野】
【０００１】  本発明は、豆腐の主原料である大豆に換えて落花生を主原料として用いたことを特徴とするジーマーミ豆腐の製造方法に関するものである。
【背景技術】
【０００２】  従来の豆腐は、大豆の搾り汁を主原料とし、凝固材として苦汁を用いて凝固させていた。【０００３】  特開２００８−２７８８８０号公報では、主原料としてチーズを用いたチーズ豆腐が開示されている。
【先行技術文献】
【特許文献】
【０００４】
【特許文献１】特開２００８−２７８８８０号公報
【発明の概要】
【発明が解決しようとする課題】
【０００５】  解決しようとする問題点は、従来の豆腐において、その食感は、単に柔らかいものであり、容易に崩れてしまうものであった。単なる料理用の食材であり、デザート的な感覚はなかった。【０００６】  本発明は、今までにない柔らな粘りのあるクリーム状の食感が楽しめ、かつ、まろやかで柔らかい甘みを持つデザート的な感覚を楽しむことができる豆腐を実現することを課題とする。
【課題を解決するための手段】
【０００７】    本発明の請求項１は、生の落花生を水に一定期間浸し、水分を十分に含ませた状態でミキサーにかけて摩砕し、ペース状にし、その後搾汁して搾汁液を得、この搾汁液にゲル化剤として澱粉と、適量の水を加えて十分に攪拌し、加熱容器に入れて、一定時間加熱し、その後冷却容器に入れて冷却して固めて製造することを特徴とするジーマーミ豆腐の製造方法とするものである。【０００８】  該落花生は、市販されている生の落花生を使用できる。皮をむいて、水に４時間から２４時間程度浸漬する。【０００９】  該ミキサーは、水分を含んだ落花生をペースト状に摩砕できるものであればいずれでも良く、料理用のミキサーを使用できる。【００１０】  該搾汁は、ペースト状の落花生を布で濾して得られたものでも良い。【００１１】  該ゲル化剤は、搾汁液を固めることができるものであればいずれでも良く、市販の澱粉やいもくずなどでも良い。【００１２】  本発明の請求項２は、前記のゲル化剤としてタピオカ粉を用いることを特徴とするジーマーミ豆腐の製造方法とするものである。【００１３】  該タピオカ粉は、搾汁液に対して０．１〜０．５％程度が好ましい。【００１４】  本発明の請求項３は、記の落花生の搾汁液に黒糖を加えることを特徴とする記載のジーマーミ豆腐の製造方法とするものである。【００１５】  該黒糖は、粉黒糖を使用でき、搾汁液に対して１〜１０％程度が好ましい。
【発明の効果】
【００１６】  本発明は、以下の効果がある。
（１）落花生を用いた豆腐を実現できる。【００１７】（２）柔らな粘りのあるクリーム状の食感が楽しめる豆腐を提供できる。【００１８】（３）まろやかで柔らかい甘みを持つデザート的な感覚を楽しむことができる豆腐を提供できる。【００１９】（４）黒糖を用いた健康的な豆腐を提供できる。【００２０】（５）落花生を用いた高エネルギー食品を提供できる。
【発明を実施するための最良の形態】
【００２１】  本発明のジーマーミ豆腐は、以下のようにして製造できる。【００２２】１）生の落花生の皮をむき、水１０リットルの容器に入れて、６時間浸す。水は水道水や、還元水等を用いても良い。【００２３】２）十分に水分が含まれた状態となった落花生を取り出して、ミキサーでペースト状に摩砕する。【００２４】３）ペースト状の落花生を布で絞り、搾汁液を採る。【００２５】４）搾汁液が４００ｃｃに対して、水を６００ｃｃ加え、さらにタピオカ粉を３ｇと、粉黒糖を５０ｇを加えて、十分に混ぜ合わせる。水は還元水を用いても良い。【００２６】５）十分に混ぜ合わせた原料を鍋に入れて、２０分程度加熱してある程度水分を蒸発させる。加熱時間は、適時調整する。【００２７】６）型に入れ、ある程度まで自然冷却し、その後冷蔵庫にいれて固める。【００２８】  以上により製造されたジーマーミ豆腐は、黒糖が含まれており、甘すぎず、柔らかな甘みを有し、粘りのある柔らかなクリーム状の食感を有する、今までにない、新しい風味と食感のデザート感覚の豆腐となった。
(57)【要約】【課題】  散歩中において犬が急にダッシュした際におけるリードの伸張限界に達したときの衝撃を緩和し、人の腕及び犬の首を保護するとともに、リードから手が離れることを防ぐための、犬のリード用緩衝器を提供する。【課題を解決するための手段】［０００５］  （１）シリンダ、（２）ピストン、（３）ピストン軸、（４）スプリング、（８）フェルトパッキン、（９）スプリング座、（１１）空気漏孔のついた（５）キャップＡ、（６）キャップＢ、（７）スプリング室筒、（１０）緩衝材、（１２）両端の結合部から構成される犬のリード用緩衝器を特徴とする。【選択図】図２
2011217719.tif 000002
【特許請求の範囲】
【請求項１】
シリンダ（１）に、結合部（１２）と空気漏孔（１１）がついたキャップＡ（５）を設け、結合部（１２）を取付けたピストン軸（３）に、キャップＢ（６）、フェルトパッキン（８）スプリング座（９）、スプリング（４）、スプリング室筒（７）、緩衝材（１０）、ピストン（２）を設けた、犬のリード用緩衝器。
【発明の詳細な説明】
【技術分野】
【０００１】  この発明は、シリンダ両端にキャップを設け、シリンダ内にピストン及びピストン軸を通し、ピストンを復帰させるためのスプリングを設け、シリンダ側キャップとピストン軸にそれぞれリードを取付けるための結合部を設けた犬のリード用緩衝器に関するものである。
【背景技術】
【０００２】  従来、犬の急激なダッシュによるリード限界での衝撃に対しては、リード素材等の弾力性に頼るのみで、衝撃吸収力が不足である。
【先行技術文献】
【０００３】
【特許文献１】
【非特許文献１】
【発明の概要】
【発明が解決しようとする課題】
【０００４】  従来、犬の散歩において、突然のダッシュによるリードの引きに際しては、特に中型以上の犬にもなると、リードの伸張限界に達したときの人間の手及び犬の首にかかる衝撃は相当なもので、いずれかに障害を受ける恐れがあり、手が耐えられなかった場合は犬が放れてしまう欠点があった。本発明は、以上の欠点をなくすためになされたものである。
【課題を解決するための手段】
【０００５】  （１）シリンダ、（２）ピストン、（３）ピストン軸、（４）スプリング、（８）フェルトパッキン、（９）スプリング座、（１１）空気漏孔つきの（５）キャップＡ、（６）キャップＢ、（７）スプリング室筒、（１０）緩衝材、（１２）両端の結合部から構成される犬のリード用緩衝器である。
【発明の効果】
【０００６】  リードの引きに対し、圧縮される空気がピストン軸周りから適度に漏れることで、リード限界に達したときの瞬間的な衝撃を緩和することに特徴がある。スプリングはピストンを復帰するために必要な程度の反発力に設定し、緩衝終了後の急激な反発力は生じない。
ストロークが一定で、必要以上に伸びることがないので犬のコントロールが容易である。
特に伸縮リールに使用する場合に効果が顕著である。
高所作業者の転落防止器具にも適応し、ロープの伸張がロックされた時の衝撃による人体への傷害を軽減できる。
【図面の簡単な説明】
【０００７】
【図１】  本発明の斜視図である。
【図２】  本発明の断面図である。
【発明を実施するための形態】
【０００８】  以下、本発明を実施するための形態について説明する。
シリンダ（１）の両端にキャップＡ（５）、キャップＢ（６）を設ける。
キャップＡ（５）に空気漏孔（１１）と結合部（１２）を設け、キャップＢ（６）にピストン軸（３）が通る穴を設ける。
ピストン軸（３）の端に結合部（１２）を設け、キャップＢ（６）の穴を通して、フェルトパッキン（８）、スプリング座（９）、スプリング（４）、スプリング室筒（７）、緩衝材（１０）、及び、ピストン（２）を設ける。
本発明は、以上のような構造である。
犬の首輪とリード間、又はリードと人の手の間、いずれかの場所に取付けて使用すればよい。
【符号の説明】
【０００９】  １  シリンダ
２  ピストン
３  ピストン軸
４  スプリング
５  キャップＡ
６  キャップＢ
７  スプリング室筒
８  フェルトパッキン
９  スプリング座
１０  緩衝材
１１  空気漏孔
１２  結合部（両端）
【図１】
2011217719.tif 000003
【図２】
2011217719.tif 000004
(57)【要約】【課題】殺虫剤で殺した害虫を、ティッシュペーパーやビニール袋で取ると、手に害虫の感触が残ってしまう。また割り箸などの道具を用いると、大変面倒となる。本発明は、殺した害虫を、女性や子供でも簡単に素早く衛生的に取り捨てる事ができる害虫回収具を提供する。【解決手段】繊維が多層構造になっていて、それ自体が粘りついたりすることなく形状が自在に変化できる素材を使用した害虫捕捉部に糸を通し、捕捉された害虫もろともに、糸で筒の中に引っ張り込み、閉封し、そのまま捨てる。【選択図】図１
2011217720.tif 000002
【特許請求の範囲】
【請求項１】
紙等で筒状を形成し、筒の一方の先端部に十字の切り込みを四箇所入れ閉封口とし、他方の先端部には対向的に二箇所の切れ目を、それぞれ筒の半径の半分の長さほど入れ回収口とし、筒の直径より少し大きめに形成した害虫捕捉部の真中に糸を通し、糸の一端を害虫捕捉部の片面に糸押さえ部で留め、糸の他端を筒の回収口から中に通し、閉封口から外に適度の長さに出し、先端に取っ手部を設け、閉封口の先端部を十字の切り込みに沿って中に折り曲げるのであるが、ここでいう害虫捕捉部とは、換気扇に使用されているフィルターなどのことをいい、このフィルターの特徴として、繊維が多層構造になっているため、害虫の足や体毛・触覚などがからまりやすく外れにくい性質をもっており、粘着テープのようにそれ自体が粘りついたりして困ることもなく、形状が自在に変化できるような素材を利用したものであることを特徴とする害虫回収具。
【発明の詳細な説明】
【技術分野】
【０００１】  本発明は、薬などで死んだ害虫を回収する道具に関するものである。
【背景技術】
【０００２】  従来、殺虫剤などで殺した害虫を回収するには、ティッシュペーパーやビニール袋などで掴むか、割り箸などを使い捨てていた。また、接着剤を塗ったシートで害虫を駆除するものもある。（特許文献１参照）
【先行技術文献】
【０００３】
【特許文献１】  特開２００９−２３２８３２公報
【発明の概要】
【発明が解決しようとする課題】
【０００４】  殺した害虫をティッシュペーパーやビニール袋で取ると、手に害虫の感触が残ってしまう。割り箸などの道具を用いると、大変手間がかかってしまう。また接着剤を塗ったシートの場合は、シート自体が粘着テープのように粘りついたりして使いづらい。
本発明は、以上の問題点を解決するためになされたものである。
【課題を解決するための手段】
【０００５】  紙等で筒状を形成し、筒の一方の先端部に十字の切り込みを四箇所入れ閉封口とし、他方の先端部には対向的に二箇所の切れ目を、それぞれ筒の半径の半分の長さほど入れ回収口とする。筒の直径より少し大きめに形成した害虫捕捉部の真中に糸を通し、糸の一端を害虫捕捉部の片面に糸押さえ部で留める。糸の他端を筒の回収口から中に通し、閉封口から外に適度の長さに出し、先端に取っ手部を設ける。閉封口の先端部を十字の切り込みに沿って中に折り曲げる。ここでいう害虫捕捉部とは、換気扇に使用されているフィルターなどのことをいい、このフィルターの特徴として、繊維が多層構造になっているため、害虫の足や体毛・触覚などがからまりやすく外れにくい性質をもっており、粘着テープのようにそれ自体が粘りついたりして困ることもなく、形状が自在に変化できるような素材を利用したものである。
以上の構成よりなる害虫回収具。
【発明の効果】
【０００６】  従来とても不快だった害虫取りが、本発明により女性や子供でも簡単に素早く衛生的に取り、捨てることができ、完全に死んでいない害虫も、安全に取ることができる。また、殺虫剤や接着剤を使うこともないのでエコである。
【図面の簡単な説明】
【０００７】
【図１】  本発明の実施例において害虫を捕捉した状態を示す斜視図
【図２】  本発明の実施例において捕捉した害虫を筒の中に取り込み閉封した状態を示す斜視図
【発明を実施するための形態】
【０００８】  以下、本発明の実施の形態を説明する。
（イ）紙等で筒状を形成し、筒（１）の一方の先端部に十字の切り込み（９）を四箇所入れ閉封口（８）とし、他方の先端部には対向的に二箇所の切れ目を、それぞれ筒の半径の半分の長さほど入れ回収口（７）とする。
（ロ）筒の直径より少し大きめに形成した害虫捕捉部（４）の真中に糸（３）を通し、糸（３）の一端を害虫捕捉部（４）の片面に糸押さえ部（２）で留める。
（ハ）糸（３）の他端を筒（１）の回収口（７）から中に通し、閉封口（８）から外に適度の長さに出し、先端に取っ手部（５）を設ける。
（ニ）閉封口（８）の先端部を十字の切り込み（９）に沿って中に折り曲げる。
本発明は以上のような構造である。
本発明を使用するときは、害虫捕捉部（４）に殺した害虫（６）を軽く押し付け、取っ手部（５）を引っ張ると、害虫捕捉部（４）にくるまれるようにして害虫（６）が筒（１）の中に取り込まれる。二箇所の切り目を入れた回収口（７）の先を内側に折り曲げ、ふたをして、そのままゴミ箱に捨てる。閉封口（８）は切り込み（９）に沿って中に折り曲げられているので中からは脱出できない為、完全に死んでいない害虫（６）も筒（１）からは逃げられない。
【符号の説明】
【０００９】（１）筒、（２）糸押さえ部、（３）糸、（４）害虫捕捉部、（５）取っ手部、（６）害虫  （７）回収口、（８）閉封口、（９）切り込み
【図１】
2011217720.tif 000003
【図２】
2011217720.tif 000004
(57)【要約】      （修正有）【課題】高度な養蜂技術がなくても安全に低コストで、ミツバチが飼える養蜂箱を提供する。【解決手段】巣箱本体１の一側面をガラス窓付き扉２にすることで、内部を観察することが出来、採蜜用カセット５を差し替えることで、巣盤の貯蜜部分のみを切り出すことを可能にした。【選択図】図１
2011217713.tif 000002
【特許請求の範囲】
【請求項１】
巣箱本体（１）の一側面をガラス窓付き扉（２）とし、上部に出し入れ可能な採蜜用カセット（５）を設置することにより、巣箱内の観察と採蜜を容易にした養蜂箱。
【発明の詳細な説明】
【技術分野】
【０００１】この発明は主にニホンミツバチの養蜂、採蜜をより簡易に安全に行なわれるようにした、カセット式ミツバチ養蜂箱に関するものである。
【背景技術】
【０００２】従来は筒型の木枠やセイロ状の枠を複数積み上げ、上下を板で挟んでいた。
【発明の概要】
【発明が解決しようとする課題】
【０００３】これは次のような欠点があった。
（イ）巣箱内のハチ、巣盤の様子を見ることができない。
（ロ）採蜜時には巣盤を大きく壊すことになり、ハチに多大なダメージを与える。
（ハ）採蜜者は技術と体力が要求され危険も多い。
（二）巣箱の移設、運搬が困難。
本発明は、以上のような欠点をなくすためになされたものである。
【課題を解決するための手段】
【０００４】（イ）巣箱本体（１）の側面にガラスをはめ込んだ横開きの扉（２）を設ける。
（ロ）巣箱本体（１）内の上部に巣盤の貯蜜部分を取り出すカセット（５）を設置する。
本発明は、以上の構成よりなるカセット式ミツバチ養蜂箱である。
【発明の効果】
【０００５】（イ）巣箱の一体化〔コンパクト〕で、移設、運搬が容易になる。
（ロ）巣箱内の状況が随時、観察可能になり、正確な情報が得られる。
（ハ）採蜜はカセット内の貯蜜部分だけを取り出すことが出来るので、幼虫の育児、及び巣盤の温存がなされ、巣盤の修復が早い。
（二）採蜜はカセット交換で行なわれるため、ハチも人もストレスやダメージが少なくて済む。
（ホ）構造が単純なため、素人でも安全に低コストで養蜂を楽しめる。
【図面の簡単な説明】
【０００６】
【図１】本発明の斜視図である。
2011217713.tif 000003
【発明を実施するための形態】
【０００７】以下、本発明を実施するための形態について説明する。
縦置きにした直方体の巣箱本体（１）の一面にガラス窓付き扉（２）を開閉できるようにちょう番（４）で取り付ける。
内部の底から約３分の２の高さの位置にすのこ（３）を釘止めする。
すのこ上部の空間に納まる採蜜用カセット（５）（箱升の一辺を欠いたもの）を欠いた面を手前にし、伏せて差し込む。
本発明は、以上のような構造である。
【符号の説明】
【０００８】１    巣箱本体
２    ガラス窓付き扉
３    すのこ
４    ちょう番
５    採蜜用カセット
2011217713.tif 000004
【手続補正書】
【提出日】平成22年6月5日(2010.6.5)
【手続補正１】
【補正対象書類名】明細書
【補正対象項目名】０００６
【補正方法】変更
【補正の内容】
【０００６】
【図１】本発明の斜視図である。
【図２】本発明の平面図である。
【手続補正２】
【補正対象書類名】図面
【補正対象項目名】全図
【補正方法】変更
【補正の内容】
【図１】
2011217713.tif 000005
【図２】
2011217713.tif 000006